(57)【特許請求の範囲】
【請求項１】
５チャンネルサウンドシステムにおけるスピーカーの配置位置を決定する方法であって、
（１）左スピーカーと右スピーカーの間の距離Ｂを決定する第１のステップ、
（２）紐状体上に基点となる点から前記距離Ｂだけ離れた点、２×Ｂだけ離れた点および３×Ｂだけ離れた点をそれぞれマーク付けし、前記基点となる点と前記３×Ｂだけ離れた点を一致させて、前記Ｂだけ離れた点、前記２×Ｂだけ離れた点および前記３×Ｂだけ離れた点を頂点とする正三角形を作成することができるようにする第２のステップ、
（３）その線上にセンタースピーカーとリスニングポイントが配置される中心線（ＣＬ）を決定する第３のステップ、
（４）前記第３のステップで決定された中心線（ＣＬ）上にセンタースピーカーの位置（Ｃ点）を決定する第４のステップ、
（５）前記中心線上で前記Ｃ点から前記距離Ｂだけ離れた点をリスニングポイント（Ｍ点）と決定する第５のステップ、
（６）前記紐状体を用いて前記正三角形を作成し、前記Ｃ点と前記Ｍ点との間に、前記正三角形を、前記Ｍ点が前記正三角形の頂点の１つと一致し、前記中心線（ＣＬ）が前記正三角形を２等分する位置に配置し、前記正三角形の他の２頂点をそれぞれ左スピーカーの位置（Ｌ点）および右スピーカーの位置（Ｒ点）と決定する第６のステップ、
（７）前記Ｍ点と前記Ｌ点を結ぶ直線を１辺とし、前記Ｒ点と対向する位置に頂点がくるように前記正三角形を配置して、該頂点の位置を左９０度点と決定し、前記Ｍ点と前記Ｒ点を結ぶ直線を１辺とし、前記Ｌ点と対向する位置に頂点が来るように前記正三角形を配置して、該頂点の位置を右９０度点と決定する第７のステップ、
（８）前記Ｍ点と前記Ｃ点を結ぶ直線を１辺とし、対向する頂点を前記中心線（ＣＬ）の左側になるように前記正三角形を配置することにより、該頂点の位置を左６０度点を定め、該左６０度点と前記Ｍ点とを結ぶ直線を１辺とし前記Ｃ点と対向する位置を頂点とするように前記正三角形を配置することにより、該頂点の位置を左１２０度点と決定し、同様に、前記Ｍ点と前記Ｃ点を結ぶ直線を１辺とし、対向する頂点を前記中心線（ＣＬ）の右側になるように前記正三角形を配置することにより、該頂点の位置を右６０度点と定め、該右６０度点と前記Ｍ点を結ぶ直線を１辺として前記Ｃ点と対向する位置を頂点とするように前記正三角形を配置することにより、該頂点の位置を右１２０度点と決定する第８のステップ、
（９）前記第７のステップで決定した左９０度点と前記第８のステップで決定した左１２０度点を結ぶ直線を３等分することにより左１００度点を決定し、前記第７のステップで決定した右９０度点と前記第８のステップで決定した右１２０度点を結ぶ直線を３等分することにより右１００度点を決定する第９のステップ、および、
（１０）前記第９のステップで決定した左１００度点と前記第８のステップで決定した左１２０度点の間でサラウンド左スピーカーの位置（ＬＳ点）を決定し、前記第９のステップで決定した右１００度点と前記第８のステップで決定した右１２０度点の間でサラウンド右スピーカーの位置（ＲＳ点）を決定する第１０のステップ
を含むことを特徴とするスピーカー位置決定方法。
【請求項２】
７チャンネルサウンドシステムにおけるスピーカーの配置位置を決定する方法であって、
（１）左スピーカーと右スピーカーの間の距離Ｂを決定する第１のステップ、
（２）紐状体上に基点となる点から前記距離Ｂだけ離れた点、２×Ｂだけ離れた点および３×Ｂだけ離れた点をそれぞれマーク付けし、前記基点となる点と前記３×Ｂだけ離れた点を一致させて、前記Ｂだけ離れた点、前記２×Ｂだけ離れた点および前記３×Ｂだけ離れた点を頂点とする正三角形を作成することができるようにする第２のステップ、
（３）その線上にセンタースピーカーとリスニングポイントが配置される中心線（ＣＬ）を決定する第３のステップ、
（４）前記第３のステップで決定された中心線（ＣＬ）上にセンタースピーカーの位置（Ｃ点）を決定する第４のステップ、
（５）前記中心線上で前記Ｃ点から前記距離Ｂだけ離れた点をリスニングポイント（Ｍ点）と決定する第５のステップ、
（６）前記紐状体を用いて正三角形を作成し、前記Ｃ点と前記Ｍ点との間に、前記正三角形を、前記Ｍ点が前記正三角形の頂点の１つと一致し、前記中心線（ＣＬ）が前記正三角形を２等分する位置に配置し、前記正三角形の他の２頂点をそれぞれ左スピーカーの位置（Ｌ点）および右スピーカーの位置（Ｒ点）と決定する第６のステップ、
（７）前記第６のステップにおいて配置した前記正三角形を１８０度回転させ、前記Ｒ点に対向する頂点の位置を左１５０度点と決定し、前記Ｌ点に対向する頂点の位置を右１５０度点と決定する第７のステップ、
（８）前記Ｍ点と前記Ｃ点を結ぶ直線を１辺とし、対向する頂点を前記中心線（ＣＬ）の左側になるように前記正三角形を配置することにより、該頂点の位置を左６０度点と決定し、前記Ｍ点と前記Ｃ点を結ぶ直線を１辺とし、対向する頂点を前記中心線（ＣＬ）の右側になるように前記正三角形を配置することにより、該頂点の位置を右６０度点と決定する第８のステップ、および、
（９）前記Ｍ点を前記正三角形の一頂点とし、該Ｍ点を中心として前記正三角形を回転させ、前記第７のステップで決定した前記左１５０度点と前記第８のステップで決定した前記左６０度点の間で、第１のサラウンド左スピーカーの位置（ＬＳ１点）および第２のサラウンド左スピーカーの位置（ＬＳ２点）を決定し、前記第７のステップで決定した前記右１５０度点と前記第８のステップで決定した前記右６０度点の間で、第１のサラウンド右スピーカーの位置（ＲＳ１点）および第２のサラウンド右スピーカーの位置（ＲＳ２点）を決定する第９のステップ
を含むことを特徴とするスピーカー位置決定方法。
【請求項３】
その先端に端部フックが設けられたロープ部と、
前記ロープ部を引出し自在に収納するとともに、前記ロープ部の端部フックと係合することが可能なフックと前記ロープ部の引出しを制限するストッパーを有する本体部と、
前記ロープ部の任意の個所に取り付け可能な手元ストッパーとを有することを特徴とするスピーカー位置決定用器具。
【請求項４】
前記本体部は、本体下部と該本体下部に回動自在に支持される本体上部とにより構成されており、前記本体上部に前記ロープ部が収納されているとともに前記フックおよび前記ストッパーが設けられていることを特徴とする請求項３記載のスピーカー位置決定用器具。
【発明の詳細な説明】
【０００１】
【発明の属する技術分野】
本発明は、マルチチャンネルオーディオシステムにおけるスピーカー位置決定方法および該方法を実施するときに用いて好適なスピーカー位置決定用器具に関する。
【０００２】
【従来の技術】
マルチチャンネルオーディオシステムにおける再生スピーカーの配置として、ＩＴＵ規格（ＲＥＣＯＭＭＥＮＤＡＴＯＮ  ＩＴＵ−Ｒ  ＢＳ．７７５−１  ”ＭＵＬＴＩＣＨＡＮＮＥＬ  ＳＴＥＲＥＯＰＨＯＮＩＣ  ＳＯＵＮＤ  ＳＹＳＴＥＭ  ＷＩＴＨ  ＡＮＤ  ＷＩＴＨＯＵＴ  ＡＣＣＯＭＰＡＮＹＩＮＧ  ＰＩＣＴＵＲＥ”）において、次の２パターンが推奨されている。
図５は、５チャンネルの場合における推奨配置を示す図であり、フロント側に３チャンネル（Ｌ，Ｃ，Ｒ）、サラウンド（サイド）に２チャンネル（ＬＳ，ＲＳ）とされている。図示するように、この場合には、各スピーカーをリスニングポイント（Ｍ点）を中心とする円周上に配置し、リスナー正面を０°としたとき、０°の方向にセンタースピーカー（Ｃ）、左３０°に左スピーカー（Ｌ）、右３０°に右スピーカー（Ｒ）、左右それぞれ１００°〜１２０°の間に、サラウンド左スピーカー（ＬＳ）およびサラウンド右スピーカー（ＲＳ）が配置される。ここで、ＬとＲの離隔距離（Ｂ）は、２チャンネルのステレオ再生との互換性などを考慮すると３メートル程度が望ましい。
【０００３】
また、７チャンネルの場合は、図６に示す推奨案が提示されている。
この場合には、フロントの３スピーカー（Ｌ，Ｃ，Ｒ）は前記図５の場合と同様の位置とされ、左右それぞれ６０°〜１５０°の間に、第１ならびに第２のサラウンド左スピーカー（ＬＳ１，ＬＳ２）、および、第１ならびに第２のサラウンド右スピーカー（ＲＳ１，ＲＳ２）が配置される。
【０００４】
【発明が解決しようとする課題】
上述したスピーカーの配置を実現するために、従来は、巻尺などを使用して位置を求めることが行われていた。しかしながら、上記ＩＴＵの規格ではリスニングポイント（Ｍ点）を中心とする角度でスピーカーの位置が指定されているため、コンパスや分度器を使用できる環境ならばそれほど困難でもないが、実際の室内では、トランシットなどの測量用の道具でも用いない限り正確に設置位置を特定することは困難であった。
【０００５】
そこで本発明は、特別に難しい道具を使用することなく、誰でも簡便に、実用上十分な精度で、スピーカーの設置位置を特定することのできるスピーカー位置決定方法を提供することを目的としている。
また、該スピーカー位置決定方法に用いて好適なスピーカー位置決定用器具を提供することを目的としている。
【０００６】
【課題を解決するための手段】
上記目的を達成するために、本発明のスピーカー位置決定方法は、５チャンネルサウンドシステムにおけるスピーカーの配置位置を決定する方法であって、（１）左スピーカーと右スピーカーの間の距離Ｂを決定する第１のステップ、（２）紐状体上に基点となる点から前記距離Ｂだけ離れた点、２×Ｂだけ離れた点および３×Ｂだけ離れた点をそれぞれマーク付けし、前記基点となる点と前記３×Ｂだけ離れた点を一致させて、前記Ｂだけ離れた点、前記２×Ｂだけ離れた点および前記３×Ｂだけ離れた点を頂点とする正三角形を作成することができるようにする第２のステップ、（３）その線上にセンタースピーカーとリスニングポイントが配置される中心線（ＣＬ）を決定する第３のステップ、（４）前記第３のステップで決定された中心線（ＣＬ）上にセンタースピーカーの位置（Ｃ点）を決定する第４のステップ、（５）前記中心線上で前記Ｃ点から前記距離Ｂだけ離れた点をリスニングポイント（Ｍ点）と決定する第５のステップ、（６）前記紐状体を用いて前記正三角形を作成し、前記Ｃ点と前記Ｍ点との間に、前記正三角形を、前記Ｍ点が前記正三角形の頂点の１つと一致し、前記中心線（ＣＬ）が前記正三角形を２等分する位置に配置し、前記正三角形の他の２頂点をそれぞれ左スピーカーの位置（Ｌ点）および右スピーカーの位置（Ｒ点）と決定する第６のステップ、（７）前記Ｍ点と前記Ｌ点を結ぶ直線を１辺とし、前記Ｒ点と対向する位置に頂点がくるように前記正三角形を配置して、該頂点の位置を左９０度点と決定し、前記Ｍ点と前記Ｒ点を結ぶ直線を１辺とし、前記Ｌ点と対向する位置に頂点が来るように前記正三角形を配置して、該頂点の位置を右９０度点と決定する第７のステップ、（８）前記Ｍ点と前記Ｃ点を結ぶ直線を１辺とし、対向する頂点を前記中心線（ＣＬ）の左側になるように前記正三角形を配置することにより、該頂点の位置を左６０度点を定め、該左６０度点と前記Ｍ点とを結ぶ直線を１辺とし前記Ｃ点と対向する位置を頂点とするように前記正三角形を配置することにより、該頂点の位置を左１２０度点と決定し、同様に、前記Ｍ点と前記Ｃ点を結ぶ直線を１辺とし、対向する頂点を前記中心線（ＣＬ）の右側になるように前記正三角形を配置することにより、該頂点の位置を右６０度点と定め、該右６０度点と前記Ｍ点を結ぶ直線を１辺として前記Ｃ点と対向する位置を頂点とするように前記正三角形を配置することにより、該頂点の位置を右１２０度点と決定する第８のステップ、（９）前記第７のステップで決定した左９０度点と前記第８のステップで決定した左１２０度点を結ぶ直線を３等分することにより左１００度点を決定し、前記第７のステップで決定した右９０度点と前記第８のステップで決定した右１２０度点を結ぶ直線を３等分することにより右１００度点を決定する第９のステップ、および、（１０）前記第９のステップで決定した左１００度点と前記第８のステップで決定した左１２０度点の間でサラウンド左スピーカーの位置（ＬＳ点）を決定し、前記第９のステップで決定した右１００度点と前記第８のステップで決定した右１２０度点の間でサラウンド右スピーカーの位置（ＲＳ点）を決定する第１０のステップを含むものである。
【０００７】
また、本発明の他のスピーカー位置決定方法は、７チャンネルサウンドシステムにおけるスピーカーの配置位置を決定する方法であって、（１）左スピーカーと右スピーカーの間の距離Ｂを決定する第１のステップ、（２）紐状体上に基点となる点から前記距離Ｂだけ離れた点、２×Ｂだけ離れた点および３×Ｂだけ離れた点をそれぞれマーク付けし、前記基点となる点と前記３×Ｂだけ離れた点を一致させて、前記Ｂだけ離れた点、前記２×Ｂだけ離れた点および前記３×Ｂだけ離れた点を頂点とする正三角形を作成することができるようにする第２のステップ、（３）その線上にセンタースピーカーとリスニングポイントが配置される中心線（ＣＬ）を決定する第３のステップ、（４）前記第３のステップで決定された中心線（ＣＬ）上にセンタースピーカーの位置（Ｃ点）を決定する第４のステップ、（５）前記中心線上で前記Ｃ点から前記距離Ｂだけ離れた点をリスニングポイント（Ｍ点）と決定する第５のステップ、（６）前記紐状体を用いて正三角形を作成し、前記Ｃ点と前記Ｍ点との間に、前記正三角形を、前記Ｍ点が前記正三角形の頂点の１つと一致し、前記中心線（ＣＬ）が前記正三角形を２等分する位置に配置し、前記正三角形の他の２頂点をそれぞれ左スピーカーの位置（Ｌ点）および右スピーカーの位置（Ｒ点）と決定する第６のステップ、（７）前記第６のステップにおいて配置した前記正三角形を１８０度回転させ、前記Ｒ点に対向する頂点の位置を左１５０度点と決定し、前記Ｌ点に対向する頂点の位置を右１５０度点と決定する第７のステップ、（８）前記Ｍ点と前記Ｃ点を結ぶ直線を１辺とし、対向する頂点を前記中心線（ＣＬ）の左側になるように前記正三角形を配置することにより、該頂点の位置を左６０度点と決定し、前記Ｍ点と前記Ｃ点を結ぶ直線を１辺とし、対向する頂点を前記中心線（ＣＬ）の右側になるように前記正三角形を配置することにより、該頂点の位置を右６０度点と決定する第８のステップ、および、（９）前記Ｍ点を前記正三角形の一頂点とし、該Ｍ点を中心として前記正三角形を回転させ、前記第７のステップで決定した前記左１５０度点と前記第８のステップで決定した前記左６０度点の間で、第１のサラウンド左スピーカーの位置（ＬＳ１点）および第２のサラウンド左スピーカーの位置（ＬＳ２点）を決定し、前記第７のステップで決定した前記右１５０度点と前記第８のステップで決定した前記右６０度点の間で、第１のサラウンド右スピーカーの位置（ＲＳ１点）および第２のサラウンド右スピーカーの位置（ＲＳ２点）を決定する第９のステップを含むものである。
【０００８】
さらに、上記スピーカー位置決定方法に用いて好適な本発明のスピーカー位置決定用器具は、その先端に端部フックが設けられたロープ部と、前記ロープ部を引出し自在に収納するとともに、前記ロープ部の端部フックと係合することが可能なフックと前記ロープ部の引出しを制限するストッパーを有する本体部と、前記ロープ部の任意の個所に取り付け可能な手元ストッパーとを有するものである。
さらにまた、前記本体部は、本体下部と該本体下部に回動自在に支持される本体上部とにより構成されており、前記本体上部に前記ロープ部が収納されているとともに前記フックおよび前記ストッパーが設けられているものである。
【０００９】
【発明の実施の形態】
まず、５チャンネルの場合における再生スピーカー配置位置の決定方法について、図１を参照して説明する。
（イ）まず、フロントの左スピーカー（Ｌ）と右スピーカー（Ｒ）の間の距離Ｂを決定する。通常は、Ｂ＝３ｍ程度とされるが、リスニングルームとなる部屋の横幅（Ｗ）が６ｍ以下の場合などには、Ｂ≦３ｍとなることがある。
（ロ）ＬとＲの離隔距離Ｂを決定した後、３×Ｂ以上の長さのロープや紐などを準備する。これは、荷造り用のロープなどでもよいが、後述する本発明のスピーカー位置決定用器具を用いればより効率的に作業を行うことができる。なお、本明細書においては、ロープや紐、あるいは、後述するスピーカー位置決定用器具をまとめて「紐状体」と呼ぶこととする。ここでは、ロープを用いるものとして説明する。
そして、図１の（ａ）に示すように、ロープの一端Ｓから、Ｂ、２×Ｂ、３×Ｂの夫々の位置をマークしておく。例えば、夫々の位置にテープなどを貼り付けておく。なお、ここでは、ロープの端を基点（Ｓ）としたが、任意の点を基点とすることができる。Ｓと３×Ｂの位置とを重ね合わせ、Ｂ、２×Ｂ、３×Ｂ（Ｓ）の３個所を持ってロープを張ることにより、図示するように、一辺がＢの正三角形を作ることができるようになる。
【００１０】
（ハ）次に、その線上にセンタースピーカーとリスニングポイントが配置される中心線（センターライン：ＣＬ）を特定する（図１の（ｂ））。中心線は、部屋の大きさや状況に応じて、任意に決定することができるが、ここでは、部屋の中心を通る線を前記中心線とするものとして説明する。例えば、前記ロープの長さを部屋幅（Ｗ）に合わせたうえ、これを半分にして、部屋のセンターラインの位置を出すことができる。
（ニ）センターライン（ＣＬ）を求めたら、該センターライン上のフロント側に、映像位置（スクリーン、ＴＶなど）を考慮して、センタースピーカーの位置（Ｃ点）を決定する。
（ホ）次に、前記センターライン（ＣＬ）上で、前記センタースピーカーの位置（Ｃ点）から距離Ｂだけ離れた点をリスニングポイント（Ｍ点）に決定する。これは、前記ロープ上に距離Ｂずつ離れてマーク付けした点を用いて決定することができ、図１の（ｃ）に示すように、前記正三角形を作成して、その１つの頂点を前記Ｃ点に一致させ、該頂点を含む一辺を前記センターラインＣＬに一致させることにより、Ｍ点を決定することができる。
（ヘ）次に、図１の（ｄ）に示すように、前記ロープを用いて前述の正三角形を作成し、その１つの頂点を前記Ｍ点に一致させ、他の２つの頂点が前記Ｃ点の両側に位置し、前記センターライン（ＣＬ）により２等分されるように、該正三角形を配置する。そして、Ｍ点以外の２つの頂点を、フロントの左スピーカーの位置（Ｌ点）および右スピーカーの位置（Ｒ）と決定する。前記図１の（ｃ）のようにしてＭ点を決定したときは、Ｍ点を中心として前記正三角形を回転させることにより、Ｌ点とＲ点を決定することができる。
【００１１】
（ト）Ｍ点とＣ点を結ぶセンターラインＣＬから右側に半径Ｂで９０度回転した点（右９０度点）および左側に９０度回転した点（左９０度点）を求める（図１の（ｅ））。これは、前記図１の（ｄ）に示す状態から、前記Ｍ点とＲ点（あるいはＬ点）とを結ぶ直線に一辺を合わせるように前記正三角形を回転すること、あるいは、前記Ｍ点とＲ点（あるいはＬ点）を含む一辺を基準として線対称に前記正三角形を折り返すことにより決定することができる。
（チ）Ｍ点とＣ点を結ぶセンターラインＣＬから右側に半径Ｂで１２０度回転した点（右１２０度点）および左側に１２０度回転した点（左１２０度点）を求める（図１の（ｆ））。これは、前記Ｍ点とＣ点を結ぶセンターラインＣＬに前記正三角形の一辺を合わせ、この状態から、そのセンターラインに一致していた一辺がほかの一辺に一致するように、Ｍ点を中心に該正三角形を右あるいは左に回転することにより決定することができる。
（リ）前記（ト）で決定した右９０度点と前記（チ）で決定した右１２０度点を線分（正確には円弧で）で結び、それを３等分することにより、センターラインから右に１００度回転した点（右１００度点）を決定する。同様に、左９０度点と左１２０度点を結んで３等分することにより、センターラインから左に１００度回転した左１００度点を決定する。
（ヌ）前記正三角形の１つの頂点を前記Ｍ点とし、該Ｍ点を中心として回転させて、前記（リ）で決定した右１００度点と前記（チ）で決定した右１２０度点との間で最適な位置をサラウンド右スピーカー位置（ＲＳ点）と決定し、同様に、前記（リ）で決定した左１００度点と前記（チ）で決定した左１２０度点との間で最適な位置をサラウンド左スピーカー位置（ＬＳ点）と決定する（図１の（ｇ））。
以上のようにして、コンパスや分度器などを用いることなく、ＩＴＵ規格により推奨されるスピーカーの配置位置を決定することができる。
【００１２】
次に、７チャンネルの場合におけるサラウンドスピーカー位置の決定方法について説明する。
７チャンネルの場合においても、Ｃ、Ｌ、Ｒの３つのフロントスピーカーの位置は、前述した（イ）〜（ヘ）のステップにより決定する。そして、第１、第２のサラウンド左スピーカー（ＬＳ１，ＬＳ２）および第１、第２のサラウンド右スピーカー（ＲＳ１，ＲＳ２）の位置に関しても、上述の正三角形を形成することのできるロープなどの紐状体を用いて簡単に決定することができる。７チャンネルの場合の各サラウンドスピーカーの位置の決定方法について図２を参照して説明する。
【００１３】
前記ステップ（イ）〜（ヘ）によりセンタースピーカーの位置（Ｃ点）、フロント右スピーカーの位置（Ｒ点）およびフロント左スピーカーの位置（Ｌ点）が決定され、前記図１の（ｄ）に示す状態にあるとする。この後、次の各ステップにより、７チャンネルの場合の各サラウンドスピーカーの位置を決定する。
（ル）図２の（ｈ）に示すように、前記図１の（ｄ）の状態から前記正三角形を１８０度回転させることにより、センターラインから右に１５０度回転した点（右１５０度点）および左に１５０度回転した点（左１５０度点）を決定する。
（ヲ）前記正三角形の２つの頂点を前記Ｃ点と前記Ｍ点に一致させることによりセンターラインから右（あるいは左）に６０度回転した点（右６０度点あるいは左６０度点）を決定し、更に、該正三角形を前記センターラインを中心として折り返すことにより、左６０度点（あるいは右６０度点）を決定する。（図２の（ｉ））。
（ワ）図２の（ｊ）に示すように、前記Ｍ点を１つの頂点とする前記正三角形を、該Ｍ点を中心として、前記ステップ（ヲ）で決定した右６０度点から前記ステップ（ル）で決定した右１５０度点の間を回転させ、最適な第１のサラウンド右スピーカーの位置（ＲＳ１）および第２のサラウンド右スピーカーの位置（ＲＳ２）を決定する。同様に、前記正三角形を前記左６０度点から前記左１５０度点の間で回転させることにより、最適な第１のサラウンド左スピーカーの位置（ＬＳ１）および第２のサラウンド左スピーカーの位置（ＬＳ２）を決定する。
このようにして、７チャンネルの場合の前記ＩＴＵ規格に基づいたスピーカー位置を決定することができる。
【００１４】
上述のように、本発明のスピーカー位置決定方法によれば、ロープなどの紐状体を用いるだけで、ＩＴＵの推奨規格に基づくスピーカー配置位置を実用上問題のない程度に正確に決定することが可能となる。
なお、上述においてはロープを用いるものとして説明したが、一人で上記方法を実施する場合には、前記正三角形を作成し、これを回転したりすることは困難である。そこで、一人でも前記正三角形を作成し、それを操作することができる、本発明の位置決定用器具について説明する。
【００１５】
図３は、本発明の位置決定用器具の第１の実施の形態について説明するための図であり、（ａ）は、本発明のスピーカー位置決定用器具１０の一実施の形態の外観を示す図、（ｂ）は位置決定用器具１０を用いて前記正三角形を作成している様子を示す図、（ｃ）は手元ストッパーの一構成例を説明するための図である。図３において、１１は台部、１２は本体下部、１３は支柱、１４は本体上部、１５はロープ部、１６はロープ部の端部フック、１７は前記本体上部１４に設けられたフック、１８はロープストッパー、２０ａ，２０ｂは手元ストッパーである。
【００１６】
台部１１はこの位置決定用器具１０を安定して置くことを可能とする台部であり、所要の重量を有している。また、吸盤やスパイク状の突起物を下面に設けるようにしてもよい。本体下部１２は、本体上部１４を保持する支柱１３を伸縮自在に収納する。図３（ａ）には支柱１３を伸ばした状態を示し、（ｂ）では縮めた状態を示している。これにより床面からの高さを調整することが可能となる。また、本体上部１４は前記支柱１３により回動自在に保持されており、内部にロープ部１５を巻き取るリールが設けられている。これにより、作成した正三角形の回動を容易に行うことが可能となる。
ロープ部１５は前記本体上部１４から引き出すことができるようになされており、その先端には端部フック１６が設けられているとともに、長さを示す目盛りが付されている。前記端部フック１６は前記本体上部１４に設けられているフック１７と結合することができ、前記ロープ部１５に付されている目盛りは、前記本体上部１４の半径、および、前記本体上部１４に設けられたフック１７と前記端部フック１６が結合したときの長さが加算されたものであり、前記端部フック１６を前記フック１７に結合したときにおける前記本体上部１４の中心点Ｏからの距離に等しい長さを示すように目盛りが付されている。
また、前記本体上部１４には、ロープ部１５が引き出されるのを防止するためのロープストッパー１８が設けられており、ロープ部１５を所定量引き出した後、このロープストッパー１８を係止状態に作動させることにより、ロープ部１５が引き出しおよび巻き取りを防止することができる。なお、ロープ部１５を巻き取るリールは、ロープストッパー１８の係止を外すことにより、引き出された前記ロープ部１５をばね等により自動的に巻き取って本体上部１４内に収納できるようになされているのが好適であるが、巻き取り用のレバーを設けて手動によりロープ部１５を本体上部１４内に収容するようにしてもよい。
【００１７】
図３の（ｂ）は、このように構成された前記位置決定用器具１０を用いて、前記正三角形を作成する様子を示している。ここで、所定の間隔をおいて、手元ストッパー２０ａおよび２０ｂを前記ロープ部１５に取り付けることにより、前記正三角形の一辺Ｂを決定するようにしている。
図３の（ｃ）は、前記手元ストッパー２０ａ，２０ｂの一構成例を示す図である。手元ストッパー２０ａ，２０ｂは、図示するように、開閉可能に構成されており、その内部には前記ロープ部１５との摩擦が大きくなるように、例えば図示するような複数の突起部が設けられている。また、この手元ストッパー２０ａ，２０ｂの長さは、人間の手により把持するのに適した長さ、例えば１０ｃｍ程度とされている。この手元ストッパー２０ａ，２０ｂを前記ロープ部１５の所要の位置に合わせて閉じることにより、図３の（ｂ）に示すように、前記正三角形の一辺を確定することができ、前記ロープストッパー１８を係止状態とすることにより、一人であっても容易に前記正三角形を作成して前述した位置決定方法を実施することが可能となる。
【００１８】
すなわち、前記ステップ（イ）でフロント右スピーカーと左スピーカーの間隔Ｂを決定した後、前記ロープ部１５の目盛りがＢである位置に第１の手元ストッパー２０ａの一端（第２の手元ストッパー２０ｂから遠いほうの一端）を合わせ、前記ロープ部１５の目盛りが２×Ｂの位置に第２の前記手元ストッパー２０ｂの一端（前記第１の手元ストッパー２０ａから遠いほうの一端）を合わせる。そして、前記ロープ部１５を、前記本体上部１４から、（３×Ｂ）−（本体上部の半径）だけ引き出して、前記ロープストッパー１８を作動させる。これにより、前記２つの手元ストッパー２０ａ，２０ｂを両手で持ち、ロープ部１５を張ることにより、一辺がＢの前記正三角形を作成することが可能となる。
【００１９】
この位置決定用器具１０の台部１１を、前記ステップ（ホ）で決定した前記リスニングポイント（Ｍ点）と中心点Ｏが一致するように設置して、前記ステップ（ヘ）以降の処理を実行することにより、一人であっても容易に各スピーカーの配置位置を決定することができる。
なお、上述の実施の形態では、本体部を本体下部１２と本体上部１４とに分割して本体上部１４の高さを調整可能とし、また、本体上部１４を回転自在としていたが、これに限られることはなく、本体部を一体に構成して高さを固定としてもよく、あるいは、回転しないようにすることもできる。
【００２０】
次に、上述した本発明の位置決定方法に用いて好適な他の位置決定用器具について、図４を参照して説明する。この位置決定用器具は、スチール製の巻尺を使用し、そのスケール部の剛性を利用して一人でも前記正三角形を作成することができるようにしたものである。
図４において、２１は位置決定用器具の本体、２２は第１のスケール部、２３は第２のスケール部である。断面が凹状態とされたスチール製の第１および第２のスケール部２２，２３は、その引き出し方向が６０°異なるように前記本体２１に取り付けられており、図中破線で示す本体２１中に設けられた巻尺本体部２４および２５から任意に引出しおよび収納可能となっている。また、２６は前記第１のスケール部２２のストッパーであり、図示していないが、前記第２のスケール部２３についても同様にストッパーが設けられている。さらに、前記第１および第２のスケール部２２，２３には、前記本体２１の中心点Ｏからの距離に対応する目盛りが付されている。
【００２１】
この位置決定用器具を使用するときには、前記第１のスケール部２２と前記第２のスケール部２３を、前記フロント右スピーカーと左スピーカーの間隔Ｂに相当する量だけ引き出すことにより、前記第１および第２のスケール部２２，２３の剛性により、一辺がＢの前記正三角形を作成することができ、一人でも前記本発明のスピーカー位置決定方法を容易に実行することが可能となる。
なお、上記においては、断面が凹状態のスチール製のスケール部を用いるものとしたが、これに限られることはなく、スチール製以外であっても剛性を有するスケール部であれば、同様に用いることができる。
【００２２】
【発明の効果】
以上説明したように、本発明のスピーカー位置決定方法によれば、ロープなどの紐状体を用いて作成した正三角形を使用するだけで、分度器などを使用することなく、ＩＴＵ規格のマルチスピーカー配置を決定することが可能となる。
また、本発明のスピーカー位置決定用器具によれば、一人でも容易に本発明のスピーカー位置決定方法を実施でき、容易にＩＴＵ規格のマルチスピーカー配置位置を決定することが可能となる。
【図面の簡単な説明】
【図１】５チャンネルの場合の本発明のスピーカー位置決定方法を説明するための図である。
【図２】７チャンネルの場合の本発明のスピーカー位置決定方法を説明するための図である。
【図３】本発明のスピーカー位置決定用器具の一実施の形態の構成例を示す図である。
【図４】本発明のスピーカー位置決定方法に用いて好適な他の位置決定用器具の例を示す図である。
【図５】ＩＴＵ規格による５チャンネル時の推奨スピーカー配置を示す図である。
【図６】ＩＴＵ規格による７チャンネル時の推奨スピーカー配置を示す図である。
【符号の説明】
１１  台部、１２  本体下部、１３  支柱、１４  本体上部、１５  ロープ部、１６，１７  フック、１８  ロープストッパー、２０ａ，２０ｂ  手元ストッパー、２１  位置決定用器具本体、２２，２３  スケール部、２４  ストッパー
【図１】
0003613224.tif 000002
【図２】
0003613224.tif 000003
【図３】
0003613224.tif 000004
【図４】
0003613224.tif 000005
【図５】
0003613224.tif 000006
【図６】
0003613224.tif 000007